(57)【要約】【課題】  ＤＣＳ信号が供給されない場所（地域）であっても、Ａｎｎｅｘ Ｃサービスを正常に運用することができるＡＤＳＬシステム並びに該システムのクロック及びＤＣＳ信号供給装置を提供する。【解決手段】  本発明は、ＧＰＳアンテナを通じて受信されたＧＰＳ信号からクロックを抽出し、該抽出されたクロックを使用して非対称デジタル加入者線（ＡＤＳＬ）データを生成し、出力することによって、Ａｎｎｅｘ Ｃサービスを提供する。【選択図】  図３
2006033784.tif 000002
【特許請求の範囲】
【請求項１】
ＧＰＳ信号を使用した非対称デジタル加入者線（ＡＤＳＬ）システムにおいて、
ＧＰＳアンテナを通じて受信されたＧＰＳ信号からクロックを抽出し、該抽出されたクロックを使用して非対称デジタル加入者線（ＡＤＳＬ）データを生成し、出力することによって、Ａｎｎｅｘ Ｃサービスを提供することを特徴とするＧＰＳ信号を使用した非対称デジタル加入者線システム。
【請求項２】
前記非対称デジタル加入者線システムは、ＤＣＳ（Digital Clock Supply）信号が受信されない場所に設置されることを特徴とする請求項１に記載のＧＰＳ信号を使用した非対称デジタル加入者線システム。
【請求項３】
前記クロックは４００Ｈｚの位相情報を有することを特徴とする請求項１に記載のＧＰＳ信号を使用した非対称デジタル加入者線システム。
【請求項４】
ＧＰＳアンテナを通じてＧＰＳ信号を受信するＧＰＳ受信機と、
前記ＧＰＳ信号から第１基準クロックを検出し、出力する基準クロック監視部と、
前記第１基準クロックを入力し、該第１基準クロックに同期させた第１同期クロックを生成する第１同期クロック生成部と、
前記第１同期クロックを使用して、位相差を補正するための第２及び第３基準クロックを生成するタイミング生成部と、
前記第２基準クロックを入力し、該第２基準クロックに同期させた第２同期クロックを生成する第２同期クロック生成部と、
前記第２同期クロック及び前記第３基準クロックを入力してＤＣＳ（Digital Clock Supply）信号を生成するＤＣＳクロック生成部と、
前記ＤＣＳ信号を入力し、該ＤＣＳ信号をＡＭＩ（Alternate Mark Inversion）信号に変換して出力するＡＭＩ信号整合部と、を含むことを特徴とするＧＰＳ信号を使用した非対称デジタル加入者線システムのクロック及びＤＣＳ信号供給装置。
【請求項５】
前記第１同期クロック生成部は、
前記第１基準クロックと第１比較信号の位相差を検出してその結果をデジタル信号として出力する第１位相誤差検出器と、
該第１位相誤差検出器から出力された前記デジタル信号をプログラミングによって低域通過ピルトリングする中央処理装置と、
該中央処理装置から出力されたデジタル信号をアナログ信号に変換して出力するＤ／Ａ変換器と、
前記アナログ信号の電圧によって自体発振周波数を発生させる第１電圧制御発振器と、
該第１電圧制御発振器から発生された前記発振周波数を一定周波数で分周して前記第１同期クロックと前記第１比較信号を発生させる第１分周器と、を含むことを特徴とする請求項４に記載のＧＰＳ信号を使用した非対称デジタル加入者線システムのクロック及びＤＣＳ信号供給装置。
【請求項６】
前記第２同期クロック生成部は、
前記第１同期クロックと第２比較信号の位相差を検出してその結果を出力する第２位相誤差検出器と、
該第２位相誤差検出器から出力された信号を低域通過ピルトリングする低域通過フィルター（ＬＰＦ）と、
該低域通過フィルター（ＬＰＦ）から出力された信号の電圧によって自体発振周波数を発生させる第２電圧制御発振器と、
該第２電圧制御発振器から発生された前記発振周波数を一定周波数で分周して前記第２同期クロックと前記第２比較信号を発生させる第２分周器と、を含むことを特徴とする請求項４に記載のＧＰＳ信号を使用した非対称デジタル加入者線システムのクロック及びＤＣＳ信号供給装置。
【請求項７】
前記第１基準クロックの周波数は１ｐｐｓであり、
前記第１同期クロックの周波数は４００Ｈｚであり、
前記第１比較信号の周波数は１Ｈｚであり、
前記第２基準クロックの周波数は４００Ｈｚであり、
前記第３基準クロックの周波数は８ＫＨｚ及び４００Ｈｚであり、
前記第２同期クロックの周波数は６４ＫＨｚ信号であり、
前記ＤＣＳ信号の周波数は、前記第３基準クロックの周波数と前記第２同期クロックの周波数を加算した周波数であることを特徴とする請求項４乃至６の何れかに記載のＧＰＳ信号を使用した非対称デジタル加入者線システムのクロック及びＤＣＳ信号供給装置。
【発明の詳細な説明】
【技術分野】
【０００１】
本発明は、非対称デジタル加入者線（ADSL：Asymmetric Digital Subscriber Line）システム及び該システムのクロック及びＤＣＳ（Digital Clock Supply）信号供給装置に関することであって、特にＧＰＳ（Global Positioning System）信号を使用してＡｎｎｅｘ Ｃ（アネックスシー：ＡＤＳＬサービスの一種類）サービスを提供することができるＧＰＳ信号を使用したＡＤＳＬシステム並びに該システムのクロック及びＤＣＳ信号供給装置に関する。
【背景技術】
【０００２】
ＡＤＳＬは、既存の電話用螺旋形のペアケーブル（twisted pair cable）を使用して約１．５Ｍｂｐｓ乃至８Ｍｂｐｓの下り方向（電話局から加入者に)転送と低速の上り方向（加入者から電話局に)転送ができるようにする転送技術として、アメリカのベルコア（Bellcore）によって開発された。
【０００３】
ＡＤＳＬは、４ＫＨｚの音声帯域より周波数がはるかに高い部分に１．５Ｍｂｐｓの下り方向チャンネルを構成し、その帯域と音声帯域の間に１６Ｋｂｐｓの上り方向チャンネルを構成して、帯域が一番低い部分にアナログ音声を通過させる周波数分割方式を選択している。
【０００４】
このようなＡＤＳＬは、既存の電話用螺旋形のペアケーブルを使うことによって、電話局又は遠隔局から加入者まで無中継で接続が可能であるので、充分長い転送距離を有し、また、サービス装置の設置及び供給に関しては、既存の電話サービス（ＰＯＴＳ）と同じ位、簡便である。さらに、既存の電話信号が有する周波数帯域の上部にビデオ及び制御信号帯域を割り当てることで、周波数帯域の重なりがなく電話線を使用して多数の信号を同時に転送することができる。
【０００５】
上記ＡＤＳＬを使用した場合、電話局内には映画、ビデオ、ゲームなどの圧縮されたビデオ信号を保存しているビデオサーバーが既存の電話交換器と共に母局（電話局）側転送装置であるＡＴＵ−Ｃ（ADSL Transceiver Unit at the Central office end）に接続され、加入者宅内には加入者側転送装置であるＡＴＵ−Ｒ（ADSL Transceiver Unit at the Remote terminal end）が接続される。該ＡＴＵ−Ｒは、既存の電話機と共にパーソナルコンピューター（ＰＣ）、ＡＴＭ又はＬＡＮコンソールに直接連結したりテレビ又はＰＣに連結されるセットトップボックス（set-top box）と言われるビデオ・オーディオ信号デコーダーに接続される。そして、ＰＯＴＳ（Plain Old Telephone Service：従来のアナログ電話）信号は加入者家庭内の標準電話配線側に分配される。
【０００６】
ところで、ＩＳＤＮ（Integrated Services Digital Network：統合情報通信網）回線を使用してＡＤＳＬデータを転送するＡｎｎｅｘ Ｃサービスの提供においては、ＩＳＤＮ回線間の混線（クロストーク）を防止するため、４００Ｈｚの基準クロックを用いて位相同期が行われることが必要となる。
【０００７】
図１は、従来のＡｎｎｅｘ Ｃサービスを提供するＡＤＳＬシステムの概路図であり、４００Ｈｚの位相情報を有したＤＣＳ（Digital Clock Supply）基準信号をそれぞれ入力し、ＡＤＳＬデータをそれぞれ出力する第１及び第２ＡＤＳＬシステム１、２が示されている。図１に示すように、４００Ｈｚの位相情報を有したＤＣＳ基準信号が供給される前記第１及び第２ＡＤＳＬシステム１、２は、前記ＡＤＳＬデータをＡｎｎｅｘ Ｃサービスにて提供することが可能である。
【発明の開示】
【発明が解決しようとする課題】
【０００８】
しかし、４００Ｈｚの位相情報を有したＤＣＳ基準信号が供給されない場所（地域）に設置したＡＤＳＬシステム（図示しない）は、Ａｎｎｅｘ Ｃサービスでの提供が不可能である。
【０００９】
このように、従来のＡＤＳＬシステムは、当該システムが設置される場所によっては、上記の如く４００Ｈｚの位相情報を有したＤＣＳ（基準）信号が供給されず、かかる場合には、ＡＤＳＬシステムのクロック及びＤＣＳ信号供給装置を設置することができないという問題点があった。
【００１０】
本発明は、上記問題点を解決するためになされたものであって、本発明の目的は、４００Ｈｚの位相情報を有したＤＣＳ信号が受信されない場所でもＡＤＳＬデータを提供するＡｎｎｅｘ Ｃサービスを正常に運用することができるＧＰＳ信号を使用した非対称デジタル加入者線（ＡＤＳＬ）システム並びに該システムのクロック及びＤＣＳ信号供給装置を提供することにある。
【課題を解決するための手段】
【００１１】
上記目的を達成するために、本発明のＧＰＳ信号を使用した非対称デジタル加入者線（ＡＤＳＬ）システムは、ＧＰＳアンテナを通じて受信されたＧＰＳ信号からクロックを抽出し、該抽出されたクロックを使用して非対称デジタル加入者線（ＡＤＳＬ）データを生成し、出力することによって、Ａｎｎｅｘ Ｃサービスを提供することを特徴とする。
【００１２】
ここで、前記ＡＤＳＬシステムは、ＤＣＳ（Digital Clock Supply）信号が受信されない場所に設置されることを特徴とする。
【００１３】
更に、前記クロックは４００Ｈｚの位相情報を有することを特徴とする。
【００１４】
また、上記目的を達成するための本発明によるＧＰＳ信号を使用したＡＤＳＬシステムのクロック及びＤＣＳ信号供給装置は、ＧＰＳアンテナを通じてＧＰＳ信号を受信するＧＰＳ受信機と、前記ＧＰＳ信号から第１基準クロックを検出し、出力する基準クロック監視部と、前記第１基準クロックを入力し、該第１基準クロックに同期させた第１同期クロックを生成する第１同期クロック生成部と、前記第１同期クロックを使用して、位相差を補正するための第２及び第３基準クロックを生成するタイミング生成部と、前記第２基準クロックを入力し、該第２基準クロックに同期させた第２同期クロックを生成する第２同期クロック生成部と、前記第２同期クロック及び前記第３基準クロックを入力してＤＣＳ（Digital Clock Supply）信号を生成するＤＣＳクロック生成部と、前記ＤＣＳ信号を入力し、該ＤＣＳ信号をＡＭＩ（Alternate Mark Inversion）信号に変換して出力するＡＭＩ信号整合部と、を含むことを特徴とする
【００１５】
また、前記第１同期クロック生成部は、前記第１基準クロックと第１比較信号の位相差を検出してその結果をデジタル信号として出力する第１位相誤差検出器と、該第１位相誤差検出器から出力された前記デジタル信号をプログラミングによって低域通過ピルトリングする中央処理装置（例えば、ＣＰＵ等）と、該中央処理装置から出力されたデジタル信号をアナログ信号に変換して出力するＤ／Ａ変換器と、前記アナログ信号の電圧によって自体発振周波数を発生させる第１電圧制御発振器と、該第１電圧制御発振器から発生された前記発振周波数を一定周波数で分周して前記第１同期クロックと前記第１比較信号を発生させる第１分周器と、を含む構成とするのが好ましい。
【００１６】
また、前記第２同期クロック生成部は、前記第１同期クロックと第２比較信号の位相差を検出してその結果を出力する第２位相誤差検出器と、該第２位相誤差検出器から出力された信号を低域通過ピルトリングする低域通過フィルター（ＬＰＦ）と、該低域通過フィルター（ＬＰＦ）から出力された信号の電圧によって自体発振周波数を発生させる第２電圧制御発振器と、該第２電圧制御発振器から発生された前記発振周波数を一定周波数で分周して前記第２同期クロックと前記第２比較信号を発生させる第２分周器と、を含む構成とするのが好ましい。
【００１７】
更に、前記第１基準クロックの周波数は１ｐｐｓであり、前記第１同期クロックの周波数は４００Ｈｚであり、前記第１比較信号の周波数は１Ｈｚであり、前記第２基準クロックの周波数は４００Ｈｚであり、前記第３基準クロックの周波数は８ＫＨｚ及び４００Ｈｚであり、前記第２同期クロックの周波数は６４ＫＨｚ信号であり、前記ＤＣＳ信号の周波数は、前記第３基準クロックの周波数と前記第２同期クロックの周波数を加算した周波数であるのが好ましい。
【発明の効果】
【００１８】
以上説明したように、本発明によるＧＰＳ信号を使用した非対称デジタル加入者線（ＡＤＳＬ）システム並びに該システムのクロック及びＤＣＳ信号供給装置によると、ＧＰＳ受信機からのクロック信号（１ｐｐｓ）を使用してＤＣＳ信号との位相誤差を予め確認し、その測定誤差を前記クロック信号に同期させて発生させたクロック信号を出力周波数信号（４００Ｈｚ）に反映してＡＤＳＬシステムに供給することによって、ＤＣＳ信号が供給されない環境（場所）であっても、Ａｎｎｅｘ Ｃサービスを正常に運用することができる。
【発明を実施するための最良の形態】
【００１９】
以下、添付図面を参照して本発明の実施例に対して詳細に説明する。
【００２０】
図２は本発明によるＧＰＳ信号を使用したＡＤＳＬシステムの概路図である。
【００２１】
ＧＰＳ信号を使用したＡＤＳＬシステムは図２に示すように、４００Ｈｚの位相情報を有したＤＣＳ（Digital Clock Supply）基準信号を入力してＡＤＳＬデータを出力することによってＡｎｎｅｘ Ｃサービスを提供する第１ＡＤＳＬシステム１００と、前記４００Ｈｚの位相情報を有したＤＣＳ基準信号を受信できない場所に設置されているが、ＧＰＳアンテナを通じて受信したＧＰＳ信号から４００Ｈｚのクロックを抽出してＡＤＳＬデータを出力することによってＡｎｎｅｘ Ｃサービスを提供する第２ＡＤＳＬシステム２００を具備する。
【００２２】
図２に示すように、４００Ｈｚの位相情報を有したＤＣＳ信号が供給される第１ＡＤＳＬシステム１００は、前記ＡＤＳＬデータを出力するＡｎｎｅｘ Ｃサービスが可能である。しかし、４００Ｈｚの位相情報を有したＤＣＳ信号が供給できない場所に設置された第２ＡＤＳＬシステム２００では、従来、Ａｎｎｅｘ Ｃサービスの提供が不可能であった。本発明は、４００Ｈｚの位相情報を有したＤＣＳ信号が供給できない場所であっても、ＧＰＳアンテナを通じて４００Ｈｚの位相情報を有したＧＰＳ信号を受信できる第２ＡＤＳＬシステム２００を設置することによって、Ａｎｎｅｘ Ｃサービスの提供を可能にした。  
【００２３】
かかる第２ＡＤＳＬシステム２００は、ＧＰＳアンテナを通じて受信したＧＰＳ信号から４００Ｈｚのクロックを抽出し、これを使用してＡＤＳＬデータを出力することによってＡｎｎｅｘ Ｃサービスの提供を行う。
【００２４】
図３は本発明によるＧＰＳ信号を使用したＡＤＳＬシステムのクロック及びＤＣＳ信号供給装置の構成図である。
【００２５】
上記ＧＰＳ信号を使用したＡＤＳＬシステムのクロック及びＤＣＳ信号供給装置は、図３に示すように、ＧＰＳ受信機１０、基準クロック監視部２０、第１同期クロック生成部３０、タイミング生成部４０、第２同期クロック生成部５０、ＤＣＳクロック生成部６０及びＡＭＩ信号整合部７０を含んでいる。
【００２６】
また、第１同期クロック生成部３０は、位相誤差検出器３１（第１位相誤差検出器）、中央処理装置（ＣＰＵ）３２、Ｄ／Ａ変換器３３、電圧制御発振器３４（第１電圧制御発振器）及び分周器３５（第１分周器）で構成され、第２同期クロック生成部５０は、位相誤差検出器５１（第２位相誤差検出器）、低域通過フィルター（ＬＰＦ）５２、電圧制御発振器５３（第２電圧制御発振器）及び分周器５４（第２分周器）で構成されている。
【００２７】
ここで、ＧＰＳ受信機１０は、ＧＰＳアンテナ(図示しない)を通じてＧＰＳ（衛星）信号を受信し、受信したＧＰＳ信号から１ｐｐｓを確保する。
【００２８】
そして、基準クロック監視部２０は、ＧＰＳ信号の受信状態とＧＰＳ信号に同期された１ｐｐｓの障害可否を検出して、障害解除時に自動的に復帰させる機能を有する。基準クロック監視部２０は、受信したＧＰＳ信号から第１基準信号Ａ（第１基準クロック）を検出して位相誤差検出器３１に出力する。ここで、第１基準信号Ａの周波数は１ｐｐｓである。
【００２９】
第１同期クロック生成部３０は、基準クロック監視部２０から出力された第１基準信号Ａを入力して、該第１基準信号Ａに同期させた第１同期クロックＧを発生する。ここで、第１同期クロックＧの周波数は４００Ｈｚである。
【００３０】
第１同期クロック生成部３０の位相誤差検出器３１は、第１基準信号Ａと第１比較信号Ｂの位相差を検出して、その結果をデジタル信号Ｃとして中央処理装置（ＣＰＵ）３２に出力する。
【００３１】
そして、中央処理装置（ＣＰＵ）３２は、位相誤差検出器３１から出力された信号Ｃを内部のプログラミングによって、低域通過ピルトリングさせた信号Ｄを出力する。Ｄ／Ａ変換器３３は中央処理装置（ＣＰＵ）３２から出力された信号Ｄ（デジタル信号Ｄ）をアナログ信号Ｅに変換して出力する。
【００３２】
電圧制御発振器３４は、Ｄ／Ａ変換器３３から出力されたアナログ信号Ｅの電圧によって自体発振周波数Ｆを発生させる。ここで、発振周波数Ｆの周波数は３８．８８ＭＨｚである。分周器３５は、電圧制御発振器３４から発生された発振周波数Ｆを一定周波数で分周して第１同期クロックＧを発生させると共に、該第１同期クロックＧを分周して第１比較信号Ｂを発生させる。ここで、第１同期クロックＧの周波数は４００Ｈｚであり、第１比較信号Ｂの周波数は１Ｈｚである。
【００３３】
次に、タイミング生成部４０は、第１同期クロック生成部３０からの第１同期クロックＧ（４００Ｈｚ）を使用して、ＧＰＳ信号（１ｐｐｓ）と４００Ｈｚ信号間の位相差を補正するための第２基準クロックＩ及び第３基準クロックＨを生成する。ここで、第２基準クロックＩの周波数は４００Ｈｚであり、第３基準クロックＨの周波数は、８ＫＨｚ、４００Ｈｚである。
【００３４】
次に、第２同期クロック生成部５０は、タイミング生成部４０からの第２基準クロックＩを入力し、該第２基準クロックＩに同期させた第２同期クロックＬを生成してＤＣＳクロック生成部６０に出力する。ここで、第２同期クロックＬの周波数は６４ＫＨｚである。
【００３５】
第２同期クロック生成部５０の位相誤差検出器５１は、第２基準信号Ｉと第２比較信号Ｍの位相差を検出してその結果をデジタル信号Ｊとして低域通過フィルター（ＬＰＦ）５２に出力する。
【００３６】
そして、低域通過フィルター（ＬＰＦ）５２は、位相誤差検出器５１からの信号Ｊを低域通過ピルトリングさせたアナログ信号Ｋを出力する。ここで、低域通過フィルター（ＬＰＦ）５２は、第２同期クロック生成部５０の強度を調節する役割をする。
【００３７】
電圧制御発振器５３は、低域通過フィルター（ＬＰＦ）５２からのアナログ信号Ｋの電圧によって発生させた発振周波数を分周器５４に出力する。
【００３８】
分周器５４は、電圧制御発振器５３から発生された発振周波数を一定周波数で分周して第２同期クロックＬを発生させると共に、該第２同期クロックＬを１／Ｎ分周して第２比較信号Ｍを発生させる。
【００３９】
位相誤差検出器５１は、第２基準信号Ｉと第２比較信号Ｍの位相が一致する時に、電圧制御発振器５３の入力信号Ｋと同一信号を出力させることによって、二つの信号の位相差を補償する。
【００４０】
次に、ＤＣＳクロック生成部６０は、第２同期クロック生成部５０から第２同期クロックＬを、タイミング生成部４０から第３基準クロックＨを入力してＤＣＳ信号Ｎを生成する。ここで、第２同期クロックＬの周波数は６４ＫＨｚであり、第３基準クロックＨの周波数は８ＫＨｚ及び４００Ｈｚであり、ＤＣＳ信号の周波数は、第２同期クロックＬの周波数と第３基準クロックＨの周波数を加算した周波数、即ち、６４ＫＨｚ＋８ＫＨｚ＋４００Ｈｚである。
【００４１】
最後に、ＡＭＩ信号整合部７０は、ＤＣＳクロック生成部６０から出力されたＤＣＳ信号ＮをＡＭＩ（Alternate Mark Inversion）信号に変換して出力する。
【００４２】
以上のように、本発明は、受信したＧＰＳ信号から１ｐｐｓの信号を検出し、該１ｐｐｓの信号に同期させた４００Ｈｚの信号を生成して、システムに供給することで、ＡＤＳＬデータを提供するＡｎｎｅｘ Ｃサービスを正常に運用することができる。
【００４３】
以上、本発明の望ましい実施形態が例示の目的のために開示されたが、本発明は上記実施形態にのみ限定されるものではない。
【図面の簡単な説明】
【００４４】
【図１】従来のＡｎｎｅｘ Ｃサービスを提供するＡＤＳＬシステムの概路図である。
【図２】本発明の一実施形態に係るＧＰＳ信号を使用したＡＤＳＬシステムの概路図である。
【図３】同実施形態に係るＧＰＳ信号を使用したＡＤＳＬシステムのクロック及びＤＣＳ信号供給装置の構成図である。
【符号の説明】
【００４５】
１０…ＧＰＳ受信機、２０… 基準クロック監視部、３０…第１同期クロック生成部、３１…位相誤差検出器、３２…中央処理装置（ＣＰＵ）、３３…Ｄ／Ａ変換器、３４…電圧制御発振器（ＶＣＸＯ）、３５…分周器、４０…タイミング生成部、５０…第２同期クロック生成部、５１…位相誤差検出器、５２…低域通過フィルター（ＬＰＦ）、５３…電圧制御発振器（ＶＣＸＯ）、５４…分周器、６０…ＤＣＳクロック生成部、７０…ＡＭＩ信号整合部、１００…第１非対称デジタル加入者線（ＡＤＳＬ）システム、２００…第２非対称デジタル加入者線（ＡＤＳＬ）システム
【図１】
2006033784.tif 000003
【図２】
2006033784.tif 000004
【図３】
2006033784.tif 000005